(57)【特許請求の範囲】
【請求項１】
短冊状の本体２の両端に設けたヒンジ部５より中央側に向けてアンカー状の一対の爪体３，３ａを延設した合成樹脂製の閉止具１を前記爪体３，３ａが起立した状態で保持する閉止具取付機２０であって、
前記取付機２０は、略ピストル形に形成された合成樹脂製の胴部２１の前部に前記閉止具１を押し出すノズル２２と、前記胴部２１の後部に閉止具１の集合体Ｎを支持する集合体収容部２３と、この収容部２３より前記集合体Ｎを１ピッチずつ送り出す供給装置６０と、その集合体Ｎの逆戻りを防止する第１ストッパー７０と、前記閉止具１の一対の爪体３，３ａを起立させて前記ノズル２２の前方に突出させる押出装置４０と、この押出装置４０を前記胴部２１に沿って往復移動させる引き金２６とを備えており、
前記押出装置４０は、前記閉止具１の一対の爪体３，３ａを起立させる第１ピストン４１と、前記集合体Ｎの連結体１５を切断する第２ピストン４２と、前記閉止具１と第２ストッパー８０との係止状態を解除する第３ピストン４３とが一体的に形成され、
更に、前記押出装置４０が前記引き金２６により駆動される中間レバー２７により胴部２１の長手方向に往復移動されると共に、前記第１ピストン４１と第２ピストン４２と第３ピストン４３とが互いに摺動可能に形成されていることを特徴とする閉止具取付機。
【請求項２】
前記第１ピストン４１は閉止具１の一対の爪体３，３ａを起立させる押圧体４４が形成され、第２ピストン４２は前記集合体Ｎの連結体１５を切断するカッター５１が設けられ、第３ピストン４３は前記閉止具１を係止する第２ストッパー８０を押し退ける押し部材５２が形成されていることを特徴とする請求項１記載の閉止具取付機。
【請求項３】
前記集合体Ｎの逆戻りを防止する第１ストッパー７０は、閉止具１に係合する爪体７２が形成されていると共に、胴部２１前方の開口部ｆに軸支されていることを特徴とする請求項１記載の閉止具取付機。
【請求項４】
前記閉止具１が突出するノズル２２の閉止具吐出口３２に、横断面略Ｌ字状に形成された第３ストッパー９０が設けられていることを特徴とする請求項１記載の閉止具取付機。
【請求項５】
前記供給装置６０は、前記胴部２１に設けた軸６１により回動自在に軸支されていると共に、集合体Ｎに係合して前方へ送る送り爪６２が設けられていることを特徴とする請求項１記載の閉止具取付機。
【発明の詳細な説明】
【０００１】
【発明の属する技術分野】
本発明は、ダンボール箱などの包装箱のフラップを閉止する合成樹脂製の閉止具の装着に用いる閉止具取付け機に関するものである。
【０００２】
【従来の技術】
近年、ダンボール箱などの包装箱のフラップを閉止する際、紙又は布製の粘着テープや金属製のステップルの代わりに、短冊形の本体と二本の爪体とから成る合成樹脂製の閉止具を用いることが行われている。
【０００３】
【発明が解決しようとする課題】
ところが、閉止具には、短冊形の本体に対して二本の爪体が立設固定されている固定タイプ（特開平８−３０１２３５号公報参照）、或いは、短冊形の本体に対して二本の爪体が開脚可能に設けられている開脚タイプ（特開平９−３１５４１４号公報参照）などがあるため、閉止具のタイプ毎に専用の取付け機が必要である。
本発明は、係る事態に鑑みてなされたものであり、その目的とするところは、開脚タイプの閉止具の装着に最適な閉止具取付け機を提供することにある。
【０００４】
【課題を解決するための手段】
上記課題を解決するため、請求項１に記載の発明に係る閉止具取付機は、短冊状の本体２の両端に設けたヒンジ部５より中央側に向けてアンカー状の一対の爪体３，３ａを延設した合成樹脂製の閉止具１を前記爪体３，３ａが起立した状態で保持する閉止具取付機２０であって、前記取付機２０は、略ピストル形に形成された合成樹脂製の胴部２１の前部に前記閉止具１を押し出すノズル２２と、前記胴部２１の後部に閉止具１の集合体Ｎを支持する集合体収容部２３と、この収容部２３より前記集合体Ｎを１ピッチずつ送り出す供給装置６０と、その集合体Ｎの逆戻りを防止する第１ストッパー７０と、前記閉止具１の一対の爪体３，３ａを起立させて前記ノズル２２の前方に突出させる押出装置４０と、この押出装置４０を前記胴部２１に沿って往復移動させる引き金２６とを備えており、前記押出装置４０は、前記閉止具１の一対の爪体３，３ａを起立させる第１ピストン４１と、前記集合体Ｎの連結体１５を切断する第２ピストン４２と、前記閉止具１と第２ストッパー８０との係止状態を解除する第３ピストン４３とが一体的に形成され、更に、前記押出装置４０が前記引き金２６により駆動される中間レバー２７により胴部２１の長手方向に往復移動されると共に、前記第１ピストン４１と第２ピストン４２と第３ピストン４３とが互いに摺動可能に形成されていることを特徴としている。
【０００５】
また、請求項２に記載の発明に係る閉止具取付機は、前記第１ピストン４１は閉止具１の一対の爪体３，３ａを起立させる押圧体４４が形成され、第２ピストン４２は前記集合体Ｎの連結体１５を切断するカッター５１が設けられ、第３ピストン４３は前記閉止具１を係止する第２ストッパー８０を押し退ける押し部材５２が形成されていることを特徴としている。
【０００６】
【発明の実施の形態】
以下、図面により本発明の実施の形態を説明するが、その前に閉止具について説明する。
図１０及び図１１に示すように、閉止具１は、短冊形の本体２を主体とし、その平面内に一対の爪体３，３ａを左右対称に有している。爪体３，３ａは、３個の連結部４を介して本体２に連結され、開脚可能になっている。爪体３，３ａは、その先端に本体２の端部方向に湾曲した爪７が設けられ、所謂アンカー状になっている。
爪体３，３ａの回動部（幹部）６には、本体２の表面（上面）Ｆより突出するリブ状の第１肉厚部９と、本体２の裏面（下面）Ｂより突出するリブ状の第２肉厚部９ａとが設けられている。また、第１肉厚部９の外端部には、半円形の部材（フランジ）９ｃが設けられている。
【０００７】
また、本体２の裏面Ｂには、第２肉厚部９ａの角部９ｂに対応する肉厚部（ストッパー）５ｂが設けられている。その上、爪体３，３ａの基体部５と回動部６とは、薄肉のヒンジ５ａによって接続している。また、本体２の端部には、第２ストッパー８０の把持部８２を逃がすための逃げ溝１８が設けられている。
なお、図中、符号２ａは本体中央の連結体、２ｂ，２ｃは本体２と爪体３，３ａとの間の室（すき間）、８は爪体３，３ａの窓（開口部）、１１は面取り部を示している。
図１２に示すように、閉止具１は、連結体１５によって互いに連結され、集合閉止体Ｎとなっている。集合閉止体Ｎは、ナイロンやポリプロピレンなどの可塑性を持つ合成樹脂で一体的に形成されている。
【０００８】
上記の閉止具によってダンボール箱のフラップを閉止する場合は、後述する閉止具取付け機を使用するが、フラップの閉止について説明すると、先ず、図１３に示すように、爪体３，３ａの第１肉厚部９を矢印ａの方向に押して爪体３，３ａを矢印ｂ（図１４参照）のように開脚させる。
しかる後に、矢印ｃのように、爪体３，３ａをダンボール箱１６のフラップ１６ａ，１６ｂに設けられている一対の孔１７，１７に差込み、図１５に示すように、閉止具１の本体２とアンカー状の爪体３，３ａによってダンボール箱１６のフラップ１６ａ，１６ｂを固定する。
一方、ダンボール箱１６のフラップ１６ａ，１６ｂを開封する場合は、図１６に示すように、閉止具１の本体２の中央に設けられている指掛け部１２を挟持して本体２を矢印ｄの方向に引っ張り、閉止具１の本体２と爪体３，３ａとを連結している連結部４を破断する。ダンボール箱１６は、孔１７，１７が破損しない限り、繰り返し使用できる。
【０００９】
次に、本発明に係る閉止具取付け機について説明する。
図４に示すように、閉止具取付け機２０は、ピストル型に形成され、胴部２１の先端にノズル２２が装着されている。また、胴部２１と一体的に形成した握り部２５の前に引金２６が軸着されている。また、胴部２１の後端部に開閉可能に軸着した円弧状の支持部材２４によって胴部背面の装填部２３に装填した渦巻き状の集合閉止体Ｎを支持するようになっている。
更に、胴部２１の前面の開口部ｆには、第１ストッバー（図示せず）が設けられ、胴部２１の両側（符号ｇの箇所）には、第２ストッバー（図示せず）が設けられる。なお、上記支持部材２４の代わりにコの字状の支持部材２４’を胴部２１の側面に設けた水平な案内溝３４に摺動自在に装着させてもよい。
【００１０】
図１に示すように、胴部２１の内部には、閉止具押出装置４０と閉止具供給装置６０とが設けられている。符号３５は、装填部２３の底部を兼ねる集合閉止体案内レールであり、胴部２１の左右の内壁面に設けられている。
閉止具押出装置４０は、主として、サンドイッチ状に配設させた３枚のピストン４１，４２，４３から形成され、これらのピストン４１，４２，４３は、胴部２１の前後に摺動できるようになっている。更に、第２，第３ピストン４２，４３は、第１ピストン４１に対して前後に摺動できるようになっている。
【００１１】
図２に示すように、第１ピストン４１は、先端部に角状の一対の押圧体４４を備えている。押圧体４４は、爪体３，３ａの第１厚肉部９に対応する部位４５が湾曲し、爪体３，３ａのフランジ９ｃに対応する部位４６が階段状になっている。また、押圧体４４は、その内端部にフィン４７を有している。フィン４７は、弾頭状に形成され（図１参照）、その丈又は高さは、閉止具１の室２ｂ，２ｃの横幅より狭くなっている。
更に、第１ピストン４１は、その両側に第２ストッパー８０の把持部８２が入り込むための遊び溝４８を有すると共に、そのほぼ中央部にコマ状又はキノコ状の開口部４９を有している。開口部４９のうち、台形状の開口部４９ａには、弓状の板バネ５０が配設され、スリット状の開口部４９ｂには、中間レバー２７の上端部が挿入されている。また、第１ピストン４１は、その前端部にバネ力に抗して閉止具供給装置６０を時計方向に回転させる一対の第１カム５４を有している。
【００１２】
第１ピストン上に配設されている第２ピストン４２は、Ｔ字状の頭部４２ａに集合閉止体Ｎの連結体１５を切断するための一対のカッター５１を有すると共に、頭部４２ａの前端部にバネ力に抗して閉止具供給装置６０を時計方向に回転させる一対の第２カム５５を有している。なお、上記カッター５１は、第２ピストンではなく、胴部２１自体に設置してもよい。
第１ピストン下に配設されている第３ピストン４３は、Ｔ字状の頭部４３ａの両端に第２ストッパー８０の把持部８２を左右に押し退けるための板状の押し部材５２を有している。第３ピストン４３の押し部材５２は、第２ピストン４２の頭部４２ａの両端部に接続し、第２ピストン４２の後端部にある連結部５３は、第３ピストン４３の上面に接続している。
【００１３】
図１に示すように、閉止具供給装置６０は、閉止具押出装置４０の上方に位置し、軸６１によって胴部２１に回動自在に軸着されている。図３に示すように、閉止具供給装置６０の送り爪６２は、バネ部６３を介して胴板６４に接続し、送り爪６３より後方に位置している脚部６５は、その先端部内側に突起６６を有している。脚部６５は、第１，第２ピストン４１，４２のカム５４，５５に対応するように一対になっている。また、胴板６４の後方に向かってアーム６８が突出しており、アーム６８の先端に設けた横軸６９と胴部２１に設けた横軸３０との間に架橋させたコイルばね３１によって閉止具供給装置６０を反時計方向に付勢するようになっている。なお、閉止具送送給装置６０を正逆回転させる手段としては、カム５４，５５の代わりにラックピニオンを採用してもよい。
【００１４】
図１に示すように、第１ストッパー７０は、胴部前面の開口部ｆに装着させた支持部材７１に軸着され、その爪体７２が隣接する閉止具１同士のすき間１３に食い込むようになっている。爪体７２は、図示しないバネによって反時計方向に付勢されている。
図２に示すように、第２ストッパー８０は、バネ力を有する板状のアーム８１とアーム８１の自由端に設けた把持部８２とから成り、把持部８２の内側には、閉止具１の端部を把持する把持溝８３を有している。アーム８１は、図示しない止め具によって胴部２１の側面に装着され、把持部８２は、胴部２１の横穴１４に挿入されている。
【００１５】
図１に示すように、胴部先端の吐出口３２に装着させたノズル２２内には、上下一対の第３ストッパー９０が枢支されている。第３ストッパー９０は、その先端部９１が横断面Ｌ字状に形成され、背面の板バネ９２によって胴部先端の吐出口３２を塞ぐように付勢されている。
上記の中間レバー２７は、軸２８によって握り部２５に軸支され、中間レバー２７と握り部２５との間に架橋させたコイルばね２９によって引金２６が握り部２５の前方に突き出るように付勢されている。
【００１６】
次に、閉止具取付け機の動作について説明する。
閉止具取付け機２０の引金２６を引くと、図５に示すように、閉止具押出装置４０が前進し、第１ピストン４１の押圧体４４，４４によって閉止具１の脚体３，３ａが開脚される。この時、閉止具１の両端は、第２ストッパー８０の把持部８２によって把持されている。
更に、引金２６を引くと、閉止具１によって第１ピストン４１の前進が阻止されているため、図６に示すように、第２，第３ピストン４２，４３のみが前進し、第２ピストン４２のカッター５１，５１によって閉止具１同士を連結している連結体（図示せず）が切断される。
と同時に、第３ピストン４３の頭部両端にある押し部材５２によって第２ストッパー８０の把持部８２が矢印ｉの方向に押し広げられ、第２ストッパー８０の把持部８２が閉止具１から外れる。第２ストッパー８０の把持部８２は、閉止具１の両端に逃げ溝１８があるため、逃げやすい。
【００１７】
一方、第１，第２ピストン４１，４２のカム５４，５５によって閉止具供給装置６０の脚部６５が押し上げられるため、図７に示すように、閉止具供給装置６０が時計方向に回転し、送り爪６２が集合閉止体Ｎから外れる。その時、第１ストッパー７０によって閉止具供給装置６０の回転に起因する閉止集合体Ｎの連れ戻しが阻止される。
更に、引金２６を引くと、図８に示すように、閉止具押出装置４０が更に前進し、閉止具１の本体２によって第３ストッパー９０が上下に開かれるが、閉止具１の本体２が通過すると、板バネ９２のバネ力によって第３ストッパー９０の先端９１が閉じ、図９に示すように、第３ストッパー９０のＬ字形の先端部９１，９１によって閉止具１の上面Ｆが支えられる。この時、第２ストッパー８０の把持部８２は、第１ピストン４１の側面に設けられている遊び溝４８内に入り込み、アーム８１のバネ力の衰退が防止される。
【００１８】
しかる後に、閉止具１の爪体３，３ａをダンボール箱１６のフラップ１６ａ，１６ｂに設けられている穴１７に突き刺しながら、引金２６を弛めると、既に説明した如く（図１３〜図１５参照）、閉止具１がダンボール箱１６のフラップ１６ａ，１６ｂに装着される。
上記のように、引金２６を弛めると、握り部２５内のコイルばね２９のバネ力によって引金２６が初期位置に復帰するのに伴って閉止具押出装置４０が初期位置に復帰し、更に、第１ピストン４１に設けた板バネ５０によって第２，第３ピストン４２，４３が初期位置に復帰する。
【００１９】
一方、胴部２１内のコイルばね３１によって閉止具供給装置６０が初期位置に復帰するのに伴って送り爪６２が閉止具１，１間のすき間１３に係合し、集合閉止体Ｎが１ピッチ送られる（図１参照）。
なお、集合閉止体Ｎを装填部２３から取り外す場合は、図８に示すように、第４ストッパー１００によって二点鎖線で示す位置に回転させた閉止具供給装置６０を支持する。閉止具供給装置６０は、胴部２１の側面に設けた円弧状のスリット３６を通って外方に突出している横軸６９の先端を摘んで二点鎖線で示す位置に回転させることができる。
【００２０】
第４ストッパー１００は、図１に示すように、胴部２１内に枢支させたアーム１０１と、アーム１０１の自由端に設けた爪状の支持部１０２と、アーム１０１の枢支部に接続させた板バネ１０３と、支持部１０２の真横に設けらた摘み部１０４とから形成されている。
一方、第４ストッパー１００と閉止具供給装置６０の横軸６９との係合を外す場合は、胴部２１の側面に設けた円弧状のスリット３７を通って外方に突出している摘み部１０４を反時計方向に引く。
本発明の閉止具取付け機は、図１０に示す閉止具が最も適しているが、この閉止具に類似する閉止具であれば、使用することができる。
【００２１】
【発明の効果】
上記のように、本発明よれば、閉止具押出装置の角状の押圧体によって閉止具の爪体を開脚保持した後、カッターによって集合閉止体の閉止具が１個ずつ自動的に切り離されるので、閉止具をダンボール箱などの包装箱のフラップ穴に簡単に、かつ、確実に装着することができる。
また、本発明の閉止具取付け機は、部品数が少なく、構造が簡単なため、故障が少なく、安心して使用でき、信頼性が高い。また、コンパクトな作りであるから取り扱い易く、連続して使用しても疲労が少ない。
また、上記の開脚形の閉止具は、爪体固定形の閉止具に比べて爪体同士の絡みが少なく、上記の閉止具取付け機を使用する上で便利である。
【図面の簡単な説明】
【図１】本発明に係る閉止具取付け機の一部断面側面図である。
【図２】本発明に係る閉止具取付け機の要部を示す平面図である。
【図３】本発明に係る閉止具取付け機の要部拡大縦断面図である。
【図４】本発明に係る閉止具取付け機の斜視図である。
【図５】閉止具押出装置により閉止具の爪体を開脚させた状態を示す説明図である。
【図６】集合閉止体の連係体を切断すると共に、第２ストッパーと閉止具との係合を解除した状態を示す説明図である。
【図７】閉止具供給装置が吐出口から後退した状態を示す説明図である。
【図８】閉止具本体によって第３ストッパーを開いた状態を示す説明図である。
【図９】第３ストッパーがバネ力によって閉じた状態を示す説明図である。
【図１０】閉止具の平面図である。
【図１１】閉止具の一部断面を示す側面図である。
【図１２】集合閉止体の斜視図である。
【図１３】閉止具の爪体を矢印ａ方向に押す様子を示す説明図である。
【図１４】閉止具の爪体を矢印ｂ方向に開脚させた様子を示す説明図である。
【図１５】閉止具の爪体をダンボール箱のフラップの穴に挿入させた様子を示す説明図である。
【図１６】閉止具を開封する様子を示す説明図である。
【符号の説明】
１  閉止具
２  本体
３，３ａ  爪体
１５  連結体
２０  閉止具取付け機
４０  閉止具押出装置
４４  押圧体
５１  カッター
５２  押し部材
６０  閉止具供給装置
８０  第２ストッパー
Ｎ  集合閉止体
【図１】
0004201063.tif 000002
【図２】
0004201063.tif 000003
【図３】
0004201063.tif 000004
【図４】
0004201063.tif 000005
【図５】
0004201063.tif 000006
【図６】
0004201063.tif 000007
【図７】
0004201063.tif 000008
【図８】
0004201063.tif 000009
【図９】
0004201063.tif 000010
【図１０】
0004201063.tif 000011
【図１１】
0004201063.tif 000012
【図１２】
0004201063.tif 000013
【図１３】
0004201063.tif 000014
【図１４】
0004201063.tif 000015
【図１５】
0004201063.tif 000016
【図１６】
0004201063.tif 000017